(57)【要約】【課題】発光部から発光した光の輪郭を鮮明にでき、さらに、発光部から発光された光が発光範囲外に漏れることを防止できる。【解決手段】電子機器１０は、回路基板２２に設けられた複数の発光部２４と、各発光部の光を区画する板状の区画部材２６とを備えている。区画部材は、各発光部の位置に対応する複数の透光孔４１と、回路基板２２側の表面２６Ｂにおいて各発光部を囲むように回路基板に接触する枠状の第１リブ４２と、カバー部材１６側の表面２６Ｃにおいて第１リブと対応する枠状の第２リブ４３とを有する。さらに、第１リブの高さ寸法Ｈ１が第２リブの高さ寸法Ｈ２よりも大きく設定されている。【選択図】図４
2011223449.tif 000002
【特許請求の範囲】
【請求項１】
筐体と、
前記筐体に支持された回路基板と、
前記回路基板に設けられた発光部と、
前記回路基板を覆うように前記筐体に取り付けられ、前記発光部からの光を透過する透過部を有するカバー部材と、
前記回路基板と前記カバー部材との間に介装され、前記発光部の光を区画する板状の区画部材と、を備え、
前記区画部材が、前記発光部の位置に対応して厚み方向に貫通する透光孔と、前記回路基板側の面において前記発光部を囲むように前記回路基板に接触する枠状の第１リブと、前記カバー部材側の面において前記第１リブと対応する枠状の第２リブとを有し、
前記区画部材の表面に対する前記第１リブの高さ寸法が、前記区画部材の表面に対する前記第２リブの高さ寸法よりも大きい電子機器。
【請求項２】
請求項１に記載の電子機器において、
前記回路基板は、複数の発光部を備え、
前記区画部材は、前記複数の発光部に位置に対応する複数の係止孔を備え、かつ、前記回路基板側の面において前記各透光孔間に配置され、前記回路基板に接触する先細り形状の突起を有する電子機器。
【請求項３】
請求項１または請求項２に記載の電子機器において、
前記区画部材が、第１端面に設けられた第１鍔部と、前記第１鍔部を前記区画部材の厚み方向に沿って貫通する第１係止孔と、前記第１端面とは反対側を向く第２端面に設けられた第２鍔部と、前記第２鍔部を前記区画部材の厚み方向に沿って貫通する第２係止孔と、を有し、
前記カバー部材が、前記第１係止孔に挿入される第１突部と、前記第２係止孔に挿入される第２突部とを有し、
前記第１係止孔および前記第２係止孔間の第１離間寸法が、前記第１突部および前記第２突部間の第２離間寸法よりも小さい電子機器。
【発明の詳細な説明】
【技術分野】
【０００１】
本発明は、筐体にカバー部材を取り付けるとともに筐体内に複数の発光部を設け、発光部からの光をカバー部材の透過部から透過させる電子機器に関する。
【背景技術】
【０００２】
電子機器として、操作部を有する第１筐体と、液晶画面を有する第２筐体とをヒンジ機構を介して開閉可能に構成した折りたたみ式の携帯端末が知られている。
この電子機器のなかには、所定のパターンで配列された複数の発光部と、複数の発光部の各々に対応するように同じ配列パターンで複数の開口が形成された上筐体と、発光部と上筐体との間に配置され、発光部の各々が発する光を対応する開口へのみ導く区画部材とを備えたものがある。
【０００３】
この区画部材は、発光部と同じ配列パターンで複数の貫通穴が形成されている。よって、発光部の各々が発する光を貫通穴を経て開口から上筐体外へ導くことができる。
特許文献１の電子機器によれば、複数の発光部の少なくとも一部を点灯させ、点灯させた発光部の光を開口を経て第２筐体の外部に発光してシチュエーションやユーザ設定に応じた任意のパターンを上筐体の外部から目視できる（例えば、特許文献１参照）。
【先行技術文献】
【特許文献】
【０００４】
【特許文献１】特開２００９−１４１２５２号公報（図１）
【発明の概要】
【発明が解決しようとする課題】
【０００５】
しかし、発光部を点灯させて発光部の光を開口を経て第２筐体の外部に発光させる際に、上筐体および区画部材の密着を十分に確保できない場合、発光部から発光した光の輪郭がぼやけてしまい光の輪郭を鮮明にすることが難しかった。
また、上筐体および区画部材の密着を十分に確保できない場合、発光部から発光された光が発光範囲外に漏れてしまうことが考えられる。
【０００６】
本発明は、前述した課題を解決するためになされたものであり、その目的は、発光部から発光した光の輪郭を鮮明にでき、さらに、発光部から発光された光が発光範囲外に漏れることを防止できる電子機器を提供することにある。
【課題を解決するための手段】
【０００７】
本発明の第１の態様に係る電子機器は、筐体と、前記筐体に支持された回路基板と、前記回路基板に設けられた発光部と、前記回路基板を覆うように前記筐体に取り付けられ、前記発光部からの光を透過する透過部を有するカバー部材と、前記回路基板と前記カバー部材との間に介装され、前記発光部の光を区画する板状の区画部材と、を備え、前記区画部材が、前記発光部の位置に対応して厚み方向に貫通する透光孔と、前記回路基板側の面において前記発光部を囲むように前記回路基板に接触する枠状の第１リブと、前記カバー部材側の面において前記第１リブと対応する枠状の第２リブとを有し、前記区画部材の表面に対する前記第１リブの高さ寸法が、前記区画部材の表面に対する前記第２リブの高さ寸法よりも大きい。
【０００８】
また、本発明の第２の態様に係る電子機器は、前記回路基板は、複数の発光部を備え、前記区画部材は、前記複数の発光部の位置に対応する複数の係止孔を備え、かつ、前記区画部材が、前記回路基板側の面において前記各透光孔間に配置され、前記回路基板に接触する先細り形状の突起を有する。
【０００９】
さらに、本発明の第３の態様に係る電子機器は、前記区画部材が、第１端面に設けられた第１鍔部と、前記第１鍔部を前記区画部材の厚み方向に沿って貫通する第１係止孔と、前記第１端面とは反対側を向く第２端面に設けられた第２鍔部と、前記第２鍔部を前記区画部材の厚み方向に沿って貫通する第２係止孔と、を有し、前記カバー部材が、前記第１係止孔に挿入される第１突部と、前記第２係止孔に挿入される第２突部とを有し、前記第１係止孔および前記第２係止孔間の第１離間寸法が、前記第１突部および前記第２突部間の第２離間寸法よりも小さい。
【発明の効果】
【００１０】
本発明の第１の態様に係る電子機器によれば、区画部材に枠状の第１リブおよび第２リブを設け、第１リブの高さ寸法を第２リブの高さ寸法よりも大きくし、第１リブを発光部を囲むように回路基板に接触させることができる。
これにより、発光部から発光した光の輪郭を鮮明にでき、さらに、発光部から発光された光が発光範囲外に漏れることを防止できるという効果を有する。
また、本発明の第２の態様に係る電子機器によれば、回路基板側の面において各透光孔間に配置され、回路基板に接触する先細り形状の突起を有する。
これにより、突起が発光部に接触することを防ぎつつ、区画部材が回路基板側に撓むことを防いで、区画部材をカバー部材に一層良好に密着させることができる。
さらに、本発明の第３の態様に係る電子機器によれば、第１係止孔および第２係止孔間の第１離間寸法が、第１突部および第２突部間の第２離間寸法よりも小さい。
これにより、区画部材が回路基板側に撓むことを防止し、区画部材とカバー部材の密着性が一層良好に確保できる。
【図面の簡単な説明】
【００１１】
【図１】本発明に係る実施形態の電子機器（折りたたみ式の携帯端末）を開いた状態を示す斜視図
【図２】実施形態の電子機器を示す平面図
【図３】実施形態の電子機器を示す断面図
【図４】図３のＡ部拡大図
【図５】実施形態の電子機器をカバー部材側から見た状態を示す分解斜視図
【図６】図５の電子機器において拡散シートを分解した状態を示す分解斜視図
【図７】実施形態のカバー部材および区画部材を示す分解斜視図
【図８】図７のカバー部材および区画部材間の拡散シートを分解した状態を示す分解斜視図
【図９】実施形態の区画部材をカバー部材側から見た状態を示す斜視図
【図１０】実施形態の区画部材をカバー部材側から見た状態を示す平面図
【図１１】実施形態の区画部材を回路基板側から見た状態を示す斜視図
【図１２】実施形態の第１リブおよび第２リブを示す斜視図
【図１３】実施形態の区画部材に備えた係止孔とカバー部材備えた突部との関係を示す平面図
【発明を実施するための形態】
【００１２】
以下、本発明の実施形態に係る電子機器１０について図面を参照して説明する。
【００１３】
図１に示すように、本発明の実施形態である電子機器１０は、矩形箱状の第１筐体１１と、矩形箱状の第２筐体１２と、第１筐体１１および第２筐体１２を折りたたみ可能に連結する連結部１３とを有する折りたたみ式の携帯端末である。
この電子機器１０は、第１筐体１１および第２筐体１２が相対的に積層された閉状態と、閉状態から連結部１３を中心として第１筐体１１に対して第２筐体１２を回動する開状態（図示の状態）とを取り得る。
【００１４】
第１筐体１１は、筐体１４およびカバー部材１６で筐体状に形成され、筐体１４の操作面１４Ａに操作部１８が設けられている。
操作部１８は、数字や文字を入力するための入力キー群１８Ａと、各種設定や機能の切替えを行うための機能キー群１８Ｂとを備えている。
第１筐体１２は、表示面１２Ａに表示部１９が設けられている。
【００１５】
さらに、図２〜図４に示すように、電子機器１０は、筐体１４内に支持された回路基板２２と、回路基板２２に設けられた複数の発光部２４と、回路基板２２を覆うように筐体１４に取り付けられたカバー部材１６と、回路基板２２およびカバー部材１６間に介装された区画部材２６と、区画部材２６およびカバー部材１６間に介装された拡散シート２８とを備えている。
【００１６】
図５、図６に示すように、回路基板２２は、区画部材２６に対向する面２２Ａに複数の発光部２４が所定の間隔で配置されている。
発光部２４は、カバー部材１６に向けて光を発光する部材で、ＬＥＤ（Light Emitting Diode）を例示するがＬＥＤに限定するものではない。
【００１７】
図７、図８に示すように、カバー部材１６は、複数の発光部２４の各発光部２４から発光された光を透過する透過部３２（図５、図６も参照）と、カバー部材１６の内面１６Ａから区画部材２６に向けて突出された第１突部３３、第２突部３４、第３突部３５および第４突部３６とを有している。
第１突部３３、第２突部３４、第３突部３５および第４突部３６については後で詳しく説明する。
【００１８】
図９〜図１１に示すように、区画部材２６は、複数の発光部２４から発光された光を区画する略矩形に形成された板状の部材である。
すなわち、区画部材２６は、区画部材２６のなかに所定間隔をおいて形成された複数の透光孔４１と、区画部材２６の周壁２６Ａに沿って設けられた第１リブ４２および第２リブ４３と、複数の透光孔４１の間に設けられた突起４５とを有している。
【００１９】
加えて、区画部材２６は、区画部材２６の周壁２６Ａから張り出された第１鍔部４６、第２鍔部４７、第３鍔部４８および第４鍔部４９と、第１鍔部４６に形成された第１係止孔５２と、第２鍔部４７に形成された第２係止孔５３と、第３鍔部４８に形成された第３係止孔５４と、第４鍔部４９に形成された第４係止孔５５とを有している。
【００２０】
透光孔４１は、区画部材２６のうち複数の発光部２４の各位置に対応する部位において、区画部材２６の厚み方向に貫通された孔である（図４、図１２も参照）。
よって、透光孔４１は、発光部２４から発光された光をカバー部材１６に向けて導くことができる。
【００２１】
第１リブ４２は、区画部材２６の表面のうち回路基板２２側の表面（回路基板２２側の面）２６Ｂに設けられることにより、発光部２４を囲むように回路基板２２に接触可能な枠状の凸部である。
この第１リブ４２は、回路基板２２側の表面２６Ｂに対して高さ寸法Ｈ１で回路基板２２側に突出するように形成されている（図４、図１２も参照）。
【００２２】
第２リブ４３は、区画部材２６の表面のうちカバー部材１６側の表面（カバー部材１６側の面）２６Ｃにおいて、第１リブ４２と対応する位置に設けられ、カバー部材１６に接触可能な枠状の凸部である。
この第２リブ４３は、カバー部材１６側の表面２６Ｃに対して高さ寸法Ｈ２でカバー部材１６側に突出するように形成されている（図４、図１２も参照）。
【００２３】
図４に示すように、第１リブ４２を回路基板２２に接触させるとともに、第２リブ４３をカバー部材１６に接触させることにより、区画部材２６が回路基板２２側やカバー部材１６側に撓むことを防ぐことができる。
よって、各発光部２４を囲んだ状態で、第１リブ４２を回路基板２２に確実に接触させることができる。
また、各発光部２４を囲んだ状態で、第２リブ４３をカバー部材１６に確実に接触させることができる。
【００２４】
これにより、回路基板２２に対する第１リブ４２の密着性を十分に確保でき、各発光部２４から発光された光を透光孔４１からカバー部材１６側に良好に導くことができる。
したがって、複数の発光部２４から発光された光を、カバー部材１６の透過部３２からカバー部材１６の外側に良好に透過させて発光された光の輪郭を鮮明にできる。
また、第１リブ４２と回路基板２２、及び第２リブ４３とカバー部材１６の密着を十分に確保できるので、各発光部２４から発光された光が発光範囲外に漏れることを防止できる。
【００２５】
ここで、第１リブ４２の高さ寸法Ｈ１は、第２リブ４３の高さ寸法Ｈ２よりも大きく設定されている。
よって、第１リブ４２の弾性変形量（弾性変形代）は第２リブ４３の弾性変形量（弾性変形代）より大きくなる。これにより、区画部材２６がカバー部材１６へ押し付けられる力が生じ、区画部材２６とカバー部材１６の密着性が一層良好に確保できる。よって、発光部から発光した光の輪郭を鮮明にすることができる。また、第１リブ４２を回路基板２２に確実に接触させて第１リブ４２の回路基板２２への密着性を一層良好に確保できる。
【００２６】
突起４５は、回路基板２２側の表面２６Ｂにおいて各透光孔４１間に設けられるとともに、回路基板２２側に突出されることにより回路基板２２に接触可能な先細り形状の凸部である。
ここで、先細り形状として、例えば、半球形状、錐形状などの形状が該当する。
各透光孔間に配置した突起を回路基板に接触させることにより、区画部材２６に外力が作用した場合に、区画部材２６が回路基板２２側に撓むことを防いで、区画部材２６をカバー部材１６に一層良好に密着させることができる。
【００２７】
また、突起４５を先細り形状とすることにより、突起４５の先端形状を小さく抑えることができる。よって、回路基板２２に実装されている各発光部２４に対する突起４５の距離を良好に確保でき、突起４５が各発光部２４に接触することを防ぐことができる。
これにより、突起４５が各発光部２４に接触することにより発光部２４が突起４５によって隠されたりしてしまうことを防止できる。
また、各発光部２４の破損も防止できる。
【００２８】
図９〜図１１に示すように、第１鍔部４６は、区画部材２６の周壁２６Ａのうち第１端面２６Ｄから張り出されている。第１鍔部４６に第１係止孔５２が区画部材２６の厚み方向に沿って貫通するように形成されている。
第２鍔部４７は、区画部材２６の周壁２６Ａのうち第１端面２６Ｄとは反対側を向く第２端面２６Ｅから張り出されている。第２鍔部４７に第２係止孔５３が区画部材２６の厚み方向に沿って貫通するように形成されている。
【００２９】
第３鍔部４８は、区画部材２６の周壁２６Ａのうち第１端面２６Ｄおよび第１端面２６Ｄに対して直交する第３端面２６Ｆから張り出されている。第３鍔部４８に第３係止孔５４が区画部材２６の厚み方向に沿って貫通するように形成されている。
第４鍔部４９は、区画部材２６の周壁２６Ａのうち第３端面２６Ｆとは反対側を向く第４端面２６Ｇから張り出されている。第４鍔部４９に第４係止孔５５が区画部材２６の厚み方向に沿って貫通するように形成されている。
【００３０】
図７、図１３に示すように、第１係止孔５２、第２係止孔５３、第３係止孔５４および第４係止孔５５に、第１突部３３、第２突部３４、第３突部３５および第４突部３６がそれぞれ挿入される。
第１突部３３、第２突部３４、第３突部３５および第４突部３６は、カバー部材１６の内面１６Ａから区画部材２６に向けて突出された突片である。
【００３１】
第１係止孔５２および第２係止孔５３間の第１離間寸法Ｌ１（Ａ），Ｌ１（Ｂ）は、第１突部３３および第２突部３４間の第２離間寸法Ｌ２（Ａ），Ｌ２（Ｂ）よりも小さく設定されている。
よって、第１係止孔５２に第１突部３３を挿入するとともに、第２係止孔５３に第２突部３４を挿入することにより、第１突部３３および第２突部３４で区画部材２６を矢印Ａ方向に引っ張った状態に保つことができる。
【００３２】
第３係止孔５４および第４係止孔５５間の第３離間寸法Ｌ３は、第３突部３５および第４突部３６間の第４離間寸法Ｌ４よりも小さく設定されている。
よって、第３係止孔５４に第３突部３５を挿入するとともに、第４係止孔５５に第４突部３６を挿入することにより、第３突部３５および第４突部３６で区画部材２６を矢印Ｂ方向（すなわち、矢印Ａ方向に直交する方向）に引っ張った状態に保つことができる。
【００３３】
第１突部３３および第２突部３４で区画部材２６を矢印Ａ方向に引っ張った状態に保つとともに、第３突部３５および第４突部３６で区画部材２６を矢印Ｂ方向に引っ張った状態に保つことにより、区画部材２６をカバー部材１６に確実に固定し、区画部材２６がカバー部材１６から脱落することを防止することができる。また、区画部材２６が回路基板２２側に撓むことを防止し、区画部材２６とカバー部材１６の密着性が一層良好に確保できる。
ここで、第１離間寸法Ｌ１（Ａ），Ｌ１（Ｂ）と第２離間寸法Ｌ２（Ａ），Ｌ２（Ｂ）との差は、区画部材２６を引っ張って固定するにあたって、透光孔４１や突起４５が変形しない程度（例えば、0.1mm程度）に設定される。
同様に、第３離間寸法Ｌ３と第４離間寸法Ｌ４との差は、区画部材２６を引っ張って固定するにあたって、透光孔４１や突起４５が変形しない程度（例えば、0.1mm程度）に設定される。
【００３４】
図４、図６および図８に示すように、拡散シート２８は、各発光部２４から発光された光を拡散するために設けられている。
【００３５】
なお、本発明に係る電子機器１０は、前述した実施形態に限定されるものではなく適宜変更、改良などが可能である。
例えば、実施形態では、第１突部３３および第２突部３４で区画部材２６を矢印Ａ方向に引っ張った状態に保つとともに、第３突部３５および第４突部３６で区画部材２６を矢印Ｂ方向に引っ張った状態に保つことにより、区画部材２６をカバー部材１６に固定する例について説明したが、固定方法はこれに限定するものではない。
例えば、第１突部３３および第２突部３４で区画部材２６を矢印Ａ方向に引っ張った状態に保つだけで区画部材２６をカバー部材１６に確実に固定することも可能である。
【００３６】
また、実施形態では、第１リブ４２と第２リブ４３を区画部材２６に設けていたがこれに限られるものではない。第２リブ４３のない構造としても良い。この場合でも、第１リブ４２が弾性変形することにより、区画部材２６のカバー部材１６側の面が押さえつけられるので、区画部材２６とカバー部材１６の密着性を確保できる。ただし、この変形例では、各発光部２４から発光された光が、区画部材２６とカバー部材１６の間から発光範囲外に漏れる恐れがある。そのため、実施形態のように第２リブ４３を設けることで、第２リブ４３とカバー部材１６を確実に接触させ、発光部２４から発光された光が発光範囲外に漏れることを防止する構成とすることが望ましい。
また、実施形態では、各鍔部は、カバー部材１６から突出する形で形成されていたが、これに限られるものではない。例えば、カバー部材１６の端面に係止孔を設けて鍔部とするなど、カバー部材１６から突出しない形状の鍔部を設けてもよい。
また、実施形態では、複数の発光部が配列されていたが、これに限られるものではない。発光部は、１つだけであってもよい。
【００３７】
さらに、実施形態で使用した筐体、カバー部材、回路基板、発光部、区画部材、第１突部、第２突部、透光孔、第１リブ、第２リブ、突起、第１鍔部、第２鍔部、第１係止孔および第２係止孔などの形状や構成は例示したものに限定するものではなく適宜変更が可能である。
【符号の説明】
【００３８】
１０  電子機器
１４  筐体
１６  カバー部材
２２  回路基板
２４  発光部
２６  区画部材
２６Ｂ  回路基板側の表面（区画部材の表面のうち回路基板側の面）
２６Ｃ  カバー部材側の表面（区画部材の表面のうちカバー部材側の面）
２６Ｄ  第１端面
２６Ｅ  第２端面
３３  第１突部
３４  第２突部
４１  透光孔
４２  第１リブ
４３  第２リブ
４５  突起
４６  第１鍔部
４７  第２鍔部
５２  第１係止孔
５３  第２係止孔
Ｌ１（Ａ），Ｌ１（Ｂ）  第１離間寸法
Ｌ２（Ａ），Ｌ２（Ｂ）  第２離間寸法
【図１】
2011223449.tif 000003
【図２】
2011223449.tif 000004
【図３】
2011223449.tif 000005
【図４】
2011223449.tif 000006
【図５】
2011223449.tif 000007
【図６】
2011223449.tif 000008
【図７】
2011223449.tif 000009
【図８】
2011223449.tif 000010
【図９】
2011223449.tif 000011
【図１０】
2011223449.tif 000012
【図１１】
2011223449.tif 000013
【図１２】
2011223449.tif 000014
【図１３】
2011223449.tif 000015